(57)【要約】      （修正有）【課題】部分的に異なる色での照光表示ができるとともに、全体を一色（同色）でも照光表示することができる照光表示装置を提供する。【解決手段】照光表示装置１０１は、所定の表示パターンを照光表示するためのもので、端部に第１入光部Ｌ１ｎを有するとともに下面Ｌ１ｄに第１散乱部１１ｓが設けられた第１ライトガイドＬ１と、第１ライトガイドＬ１の下方に配置された照光部材Ｓ１と、第１ライトガイドＬ１と照光部材Ｓ１との間に設けられたカラーフィルタＣＦ１と、を備え、カラーフィルタが、それぞれ異なる色の領域によって形成されていることを特徴としている。【選択図】図５
0003182109.tif 000002
【実用新案登録請求の範囲】
【請求項１】
所定の表示パターンを照光表示するための照光表示装置であって、
端部に第１入光部を有するとともに下面に第１散乱部が設けられた第１ライトガイドと、
前記第１ライトガイドの下方に配置された照光部材と、
前記第１ライトガイドと前記照光部材との間に設けられたカラーフィルタと、を備え、
前記カラーフィルタは、それぞれ異なる色の領域によって形成されていることを特徴とする照光表示装置。
【請求項２】
前記カラーフィルタは、透光性を有するフィルムに、前記それぞれ異なる色の領域が印刷されたものであることを特徴とする請求項１に記載の照光表示装置。
【請求項３】
前記第１散乱部は、前記第１ライトガイドの下面に光散乱性を有するインクを印刷形成したものであることを特徴とする請求項１または請求項２に記載の照光表示装置。
【請求項４】
前記照光部材は、端部に第２入光部を有するとともに下面に第２散乱部が設けられた第２ライトガイドであることを特徴とする請求項１ないし請求項３のいずれかに記載の照光表示装置。
【請求項５】
前記第２散乱部は、前記第２ライトガイドの下面に光散乱性を有するインクを印刷形成したものであることを特徴とする請求項４に記載の照光表示装置。
【請求項６】
前記第１ライトガイド及び前記第２ライトガイドは、上方から平面視して、長手方向と短手方向とを有する形状の部材であり、
前記長手方向に沿って前記カラーフィルタの前記領域が複数色に色分けされていることを特徴とする請求項４または請求項５に記載の照光表示装置。
【請求項７】
前記照光部材は、発光光源であることを特徴とする請求項１ないし請求項３のいずれかに記載の照光表示装置
【請求項８】
前記第１ライトガイドの上方には、前記所定の表示パターンを透過部としたマスクシートが設けられていることを特徴とする請求項１ないし請求項７のいずれかに記載の照光表示装置。
【考案の詳細な説明】
【技術分野】
【０００１】
本考案は、文字や記号や図形などを表現する表示部が設けられた各種電子機器の表示部を照光表示可能な照光表示装置に関する。
【背景技術】
【０００２】
携帯用電子機器の入力装置やキーボード装置の入力装置または車載用の入力装置などでは、文字や記号や図形などを表現する表示部が設けられ、機器の内部に設けられた発光ダイオード（ＬＥＤ、Light Emitting Diode）などの光源から発せられる光を表示部に与えて照光できるようにしている。そして、最近の各種電子機器は、小型化と薄型化が進む一方で機能が多様化しており、製品の付加価値を上げるために、製品表面のデザイン性や装飾性を向上させる試みがなされている。そこで、各種電子機器に用いる照光表示装置が重要となってきた。
【０００３】
上述した照光表示装置の例として、特許文献１では、図１２に示すような照光表示装置９００が提案されている。図１２は、従来例の導光部材９１０を備える照光表示装置９００の構成の一部を示した図であって、図１２（ａ）は、照光表示装置９００を示す斜視図であり、図１２（ｂ）は、図１２（ａ）の一点鎖線で示す領域Ａの構成を拡大して示す断面図である。図１２（ａ）に示す照光表示装置９００は、導光部材９１０と、その背面に配置される回路基板９０２と、導光部材９１０の一端面に近接して回路基板９０２に搭載されており、異なる色の光を発する２つの光源９０５ａ及び光源９０５ｂとを主に備えている。更に、図１２に示すように、導光部材９１０は、第１導光板９１５と第２導光板９１６とを積層して構成され、第１導光板９１５には、導光板本体部の一端面に設けられ光源９０５ａからの光を入光する第１受光部９１８を有し、第２導光板９１６には、光源９０５ｂからの光を入光する第２受光部９１９を有している。また、光源９０５ａ及び光源９０５ｂは、側面発光方式の発光ダイオード（ＬＥＤ）を用いており、光源９０５ａは、赤色の光を発する光源であり、光源９０５ｂは、青色の光を発する光源である。そして、それぞれの光源（９０５ａ及び光源９０５ｂ）を切り替えることで、多色照光を可能としている。
【先行技術文献】
【特許文献】
【０００４】
【特許文献１】特開２０１０−１９８７５６号公報
【考案の概要】
【考案が解決しようとする課題】
【０００５】
しかしながら、従来例の照光表示装置９００では、点灯する光源（９０５ａ及び光源９０５ｂ）を切り替えたとしても、部分的に異なる色で照光表示することはできなかった。
【０００６】
本考案は、上述した課題を解決するもので、部分的に異なる色での照光表示ができるとともに、全体を一色（同色）でも照光表示することができる照光表示装置を提供することを目的とする。
【課題を解決するための手段】
【０００７】
この課題を解決するために、本考案の照光表示装置は、所定の表示パターンを照光表示するための照光表示装置であって、端部に第１入光部を有するとともに下面に第１散乱部が設けられた第１ライトガイドと、前記第１ライトガイドの下方に配置された照光部材と、前記第１ライトガイドと前記照光部材との間に設けられたカラーフィルタと、を備え、前記カラーフィルタが、それぞれ異なる色の領域によって形成されていることを特徴としている。
【０００８】
これによれば、カラーフィルタを透過した領域によって異なる色の光により、部分的に異なる色で所定の表示パターンを照光表示することができる。また、第１ライトガイドを伝搬してきた光或いは照光部材からの光のみを用いることで、全体を一色（同系色）で照光表示することもできる。更に、第１ライトガイドを伝搬してきた光とカラーフィルタを透過した照光部材からの光とを組み合わせることで、更なる多様な色で照光表示することもできる。
【０００９】
また、本考案の照光表示装置は、前記カラーフィルタが、透光性を有するフィルムに、前記それぞれ異なる色の領域が印刷されたものであることを特徴としている。
【００１０】
これによれば、色毎に複数の単色フィルタ部材をそれぞれ用意する必要がなく、容易に１枚のカラーフィルタを作製することができる。また、様々な異なる色の領域を容易に形成することができ、照光表示に対するバラエティ対応がし易くなる。
【００１１】
また、本考案の照光表示装置は、前記第１散乱部が、前記第１ライトガイドの下面に光散乱性を有するインクを印刷形成したものであることを特徴としている。
【００１２】
これによれば、型加工やレーザ加工等により第１散乱部を形成する場合と比較して、第１散乱部の形成が容易である。このことにより、より容易に照光表示装置を作製することができる。
【００１３】
また、本考案の照光表示装置は、前記照光部材が、端部に第２入光部を有するとともに下面に第２散乱部が設けられた第２ライトガイドであることを特徴としている。
【００１４】
これによれば、直に光源を第１ライトガイドの下面側に配置する場合と比較して、照光表示装置をより薄くすることができる。
【００１５】
また、本考案の照光表示装置は、前記第２散乱部が、前記第２ライトガイドの下面に光散乱性を有するインクを印刷形成したものであることを特徴としている。
【００１６】
これによれば、型加工やレーザ加工等によりプリズム部を形成する場合と比較して、散乱部の形成が容易である。このことにより、より容易に照光表示装置を作製することができる。
【００１７】
また、本考案の照光表示装置は、前記第１ライトガイド及び前記第２ライトガイドが、上方から平面視して、長手方向と短手方向とを有する形状の部材であり、前記長手方向に沿って前記カラーフィルタの前記領域が複数色に色分けされていることを特徴としている。
【００１８】
これによれば、長手方向に並べられた所定の表示パターンの照光色を複数色に色分けして照光することができる。このことにより、長手方向の所定の表示パターンのグラデーション効果を高めることが可能となる。
【００１９】
また、本考案の照光表示装置は、前記照光部材が、発光光源であることを特徴としている。
【００２０】
これによれば、カラーフィルタ及び第１ライトガイドを直接照光でき、第１ライトガイドを透過する光をより多くすることができる。このことにより、所定の表示パターンをより一層明るく表示することができる。
【００２１】
また、本考案の照光表示装置は、前記第１ライトガイドの上方には、前記所定の表示パターンを透過部としたマスクシートが設けられていることを特徴としている。
【００２２】
これによれば、表示パターン以外の部分からの漏れ光をマスクシートで遮光することができる。このことにより、マスクシートを用いない場合に比べて、表示パターンの輪郭を明確に出すことができ、適用される製品の表示品位を高めることができる。
【考案の効果】
【００２３】
本考案の照光表示装置は、第１ライトガイドと照光部材との間に設けられたカラーフィルタが、それぞれ異なる色の領域によって形成されているので、カラーフィルタを透過した領域によって異なる色の光により、部分的に異なる色で所定の表示パターンを照光表示することができる。また、第１ライトガイドを伝搬してきた光或いは照光部材からの光のみを用いることで、全体を一色（同系色）で照光表示することもできる。更に、第１ライトガイドを伝搬してきた光とカラーフィルタを透過した照光部材からの光とを組み合わせることで、更なる多様な色で照光表示することもできる。
【図面の簡単な説明】
【００２４】
【図１】本考案の第１実施形態の照光表示装置を説明する分解斜視図である。
【図２】本考案の第１実施形態の照光表示装置を説明する斜視図である。
【図３】本考案の第１実施形態の照光表示装置を説明する図であって、図３（ａ）は、図２に示すＺ１側から見た上面図であり、図３（ｂ）は、図２に示すＸ１側から見た側面図である。
【図４】本考案の第１実施形態の照光表示装置を説明する構成図であって、図３（ａ）に示すＩＶ−ＩＶ線における断面図である。
【図５】本考案の第１実施形態の照光表示装置における構成を示した側面構成図である。
【図６】本考案の第１実施形態の照光表示装置を説明する構成図であって、図５に示すＺ１側から見た上面図である。
【図７】本考案の第１実施形態の照光表示装置における照光について説明する模式図である。
【図８】本考案の第１実施形態の照光表示装置における照光について説明する模式図である。
【図９】本考案の第２実施形態の照光表示装置における構成を示した側面構成図である。
【図１０】本考案の第１実施形態の照光表示装置の変形例１を説明する図であって、図１０（ａ）は、変形例１の照光表示装置における構成を示した側面構成図であり、図１１（ｂ）は、マスクシートの外観を示した平面図である。
【図１１】本考案の照光表示装置の変形例５を説明する上面図である。
【図１２】従来例の導光部材を備える照光表示装置の構成の一部を示した図であって、図１２（ａ）は、照光表示装置を示す斜視図であり、図１２（ｂ）は、図１２（ａ）の一点鎖線で示す領域Ａの構成を拡大して示す断面図である。
【考案を実施するための形態】
【００２５】
以下、本考案の実施の形態について図面を参照して説明する。
【００２６】
［第１実施形態］
図１は、本考案の第１実施形態の照光表示装置１０１を説明する分解斜視図である。図２は、本考案の第１実施形態の照光表示装置１０１を説明する斜視図である。図３は、本考案の第１実施形態の照光表示装置１０１を説明する図であって、図３（ａ）は、図２に示すＺ１側から見た上面図であり、図３（ｂ）は、図２に示すＸ１側から見た側面図である。図４は、本考案の第１実施形態の照光表示装置１０１を説明する構成図であって、図３（ａ）に示すＩＶ−ＩＶ線における断面図である。図５は、本考案の第１実施形態の照光表示装置１０１において、その説明を容易にするために、その構成を模式化して示した側面構成図である。図６は、本考案の第１実施形態の照光表示装置１０１において、その説明を容易にするための構成図であって、図５に示すＺ１側から見た上面構成図である。なお、図６に示す破線は、カラーフィルタＣＦ１の色による区分を示している。
【００２７】
本考案の第１実施形態の照光表示装置１０１は、図１及び図４に示すように、端部に第１入光部Ｌ１ｎを有する第１ライトガイドＬ１と、第１ライトガイドＬ１の下方に配置され照光部材Ｓ１である第２ライトガイドＬ２と、第１ライトガイドＬ１と第２ライトガイドＬ２との間に設けられたカラーフィルタＣＦ１と、を備えて構成される。また、本考案の第１実施形態では、更に、第１ライトガイドＬ１の上方に配置された拡散層１５と、第２ライトガイドＬ２の下方に配置された反射層１６と、第１ライトガイドＬ１の第１入光部Ｌ１ｎに対向して配設された第１ライトガイド用光源ＬＥ１と、第２ライトガイドＬ２の第２入光部Ｌ２ｎに対向して配設された第２ライトガイド用光源ＬＥ２と、第１ライトガイドＬ１、第２ライトガイドＬ２、カラーフィルタＣＦ１、反射層１６を収容するケース１７と、を備えている。そして、本考案の第１実施形態の照光表示装置１０１は、所定の表示パターンを備えた表示パネルＰＮ１の下方（背面）に配置されて表示パネルＰＮ１を照光し、所定の表示パターンを照光表示することを可能にしている。
【００２８】
第１ライトガイドＬ１は、透光性を有したポリカーボネートの合成樹脂からなり、図１に示すように、上方から平面視して、シート状で長手方向ＬＤと短手方向ＳＤとを有する矩形状をしている。また、図１、図４及び図５に示すように、第１ライトガイドＬ１の端部には、第１ライトガイド用光源ＬＥ１からの光を入光する第１入光部Ｌ１ｎを有しており、第１入光部Ｌ１ｎから入光した光は、第１ライトガイドＬ１の上面Ｌ１ｕ或いは下面Ｌ１ｄ（図４を参照）と空気層との境界部で反射を繰り返して、第１ライトガイドＬ１の内部を伝搬する。
【００２９】
また、第１ライトガイドＬ１の下面Ｌ１ｄには、図４及び図５に示すように、第１散乱部１１ｓが設けられ、第１ライトガイドＬ１の内部を伝搬してきた光が第１散乱部１１ｓに到達した際に、第１散乱部１１ｓは、光を散乱させて上面Ｌ１ｕ側（図４に示すＺ１方向）へ反射させ、第１ライトガイドＬ１の内部を伝搬してきた光を反射散乱光としている。また、第１散乱部１１ｓは、第２ライトガイドＬ２からの光を散乱するとともに透過させて、第１ライトガイドＬ１に入光させている。
【００３０】
また、第１散乱部１１ｓは、透光性のアクリル系の合成樹脂をベース材料として用い、ベース材料の合成樹脂中に所望の材料が分散混合されている。この所望の材料は、内部で光の透過経路が変化する材料を用いており、例えば、二酸化チタン、二酸化ジルコニウム（ジルコニア）、酸化マグネシウムや炭酸カルシウム等の粉末である。また、第１散乱部１１ｓの作製は、スクリーン印刷等の手法を用いて、例えば二酸化チタンの粉末が含有されて光散乱性を有するインク（白色インク）を第１ライトガイドＬ１の下面Ｌ１ｄに印刷し、このインク（白色インク）を硬化させることにより、容易に行うことができる。これにより、型加工やレーザ加工等により、第１散乱部１１ｓを形成する場合と比較して、第１散乱部１１ｓの形成が容易である。
【００３１】
第１ライトガイド用光源ＬＥ１は、側面発光方式のＬＥＤ（Light Emitting Diode）を好適に用いており、図１、図４及び図５に示すように、配線基板１９ａに搭載され、第１入光部Ｌ１ｎと対向する位置に配置されているとともに、第１入光部Ｌ１ｎに光を入光できる向きに発光面ＬＥ１ｐを向けて配置されている。このように第１ライトガイドＬ１の第１入光部Ｌ１ｎと第１ライトガイド用光源ＬＥ１の発光面ＬＥ１ｐとを対向配置させるための高さ調整用部材として、本考案の第１実施形態では、図３（ａ）に示すように、スペーサＰ１を用い、スペーサＰ１の上に配線基板１９ａを載置するようにしている。このようにして、第１ライトガイド用光源ＬＥ１を第１ライトガイドＬ１の側面に配設して、第１ライトガイド用光源ＬＥ１からの光を第１ライトガイドＬ１に伝搬させているので、照光表示装置１０１の薄型化が図れる。なお、配線基板１９ａには、第１ライトガイド用光源ＬＥ１へ外部から電力を供給するためのコネクタＣＮ１も搭載されている。また、配線基板１９ａとして、一般に用いられているフレキシブルプリント配線板（ＦＰＣ、Flexible printed circuits）を好適に用いている。
【００３２】
第２ライトガイドＬ２は、第１ライトガイドＬ１と同様に、透光性を有したポリカーボネートの合成樹脂からなり、図１に示すように、上方から平面視して、シート状で長手方向ＬＤと短手方向ＳＤとを有する矩形状をしている。また、図１、図４及び図５に示すように、第２ライトガイドＬ２の端部には、第２ライトガイド用光源ＬＥ２からの光を入光する第２入光部Ｌ２ｎを有しており、第２入光部Ｌ２ｎから入光した光は、第２ライトガイドＬ２の上面Ｌ２ｕ或いは下面Ｌ２ｄ（図４を参照）と空気層との境界部で反射を繰り返して、第２ライトガイドＬ２の内部を伝搬する。
【００３３】
また、第２ライトガイドＬ２の下面Ｌ２ｄには、図４及び図５に示すように、第２散乱部１２ｓが設けられ、第２ライトガイドＬ２の内部を伝搬してきた光が第２散乱部１２ｓに到達した際に、第２散乱部１２ｓは、光を散乱させて上面Ｌ２ｕ側（図４に示すＺ１方向）へ反射させ、第２ライトガイドＬ２の内部を伝搬してきた光を反射散乱光としている。そして、第２ライトガイドＬ２の上面Ｌ２ｕを通過した光は、第１ライトガイドＬ１に入光する。このようにして、第１ライトガイドＬ１の下方に配置される照光部材Ｓ１を第２ライトガイドＬ２とすることで、直に光源を配置する場合と比較して、照光表示装置１０１をより薄くすることができる。
【００３４】
また、第２散乱部１２ｓは、第１ライトガイドＬ１と同様に、透光性のアクリル系の合成樹脂をベース材料として用い、ベース材料の合成樹脂中に所望の材料が分散混合されている。この所望の材料は、内部で光の透過経路が変化する材料を用いており、例えば、二酸化チタン、二酸化ジルコニウム（ジルコニア）、酸化マグネシウムや炭酸カルシウム等の粉末である。また、第２散乱部１２ｓの作製は、スクリーン印刷等の手法を用いて、例えば二酸化チタンの粉末が含有されて光散乱性を有し白色系のインクを第２ライトガイドＬ２の下面Ｌ２ｄに印刷し、このインクを硬化させることにより、容易に行うことができる。これにより、型加工やレーザ加工等により、第２散乱部１２ｓを形成する場合と比較して、第２散乱部１２ｓの形成が容易である。
【００３５】
また、第２ライトガイドＬ２が組み立てられた際には、図１に示すスペーサＰ１の矩形状の孔Ｐ１ｈに第２ライトガイドＬ２が収容されるようになる。
【００３６】
第２ライトガイド用光源ＬＥ２は、第１ライトガイドＬ１と同様に、側面発光方式のＬＥＤ（Light Emitting Diode）を好適に用いており、図１、図４及び図５に示すように、配線基板１９ｂに搭載され、第２入光部Ｌ２ｎと対向する位置に配置されているとともに、第２入光部Ｌ２ｎに光を入光できる向きに発光面ＬＥ２ｐを向けて配置されている。このように第２ライトガイドＬ２の第２入光部Ｌ２ｎと第２ライトガイド用光源ＬＥ２の発光面ＬＥ２ｐとを対向配置させるため、本考案の第１実施形態では、図３（ａ）に示すように、スペーサＰ１の下方に配線基板１９ｂを配設し、ケース１７の上に配線基板１９ｂを載置するようにしている。これにより、スペーサＰ１の矩形状の孔Ｐ１ｈに収容された第２ライトガイドＬ２と第２ライトガイド用光源ＬＥ２とがほぼ同一に高さになる。このようにして、第２ライトガイド用光源ＬＥ２を第２ライトガイドＬ２の側面に配設して、第２ライトガイド用光源ＬＥ２からの光を第２ライトガイドＬ２に伝搬させている。このことにより、照光表示装置１０１の薄型化が図れる。なお、配線基板１９ｂには、第２ライトガイド用光源ＬＥ２へ外部から電力を供給するためのコネクタＣＮ２も搭載されている。また、配線基板１９ｂとして、一般に用いられているフレキシブルプリント配線板（ＦＰＣ、Flexible printed circuits）を好適に用いている。
【００３７】
カラーフィルタＣＦ１は、第１ライトガイドＬ１と照光部材Ｓ１である第２ライトガイドＬ２との間に設けられ、本考案の第１実施形態では、透光性を有するフィルムＦ１の下面Ｆ１ｄに形成されている。また、カラーフィルタＣＦ１は、それぞれ異なる色の領域によって形成されており、図６に示すように、長手方向ＬＤに沿ってカラーフィルタＣＦ１の色の領域が複数色（Ｃ１ａ、Ｃ１ｂ、Ｃ１ｃ、Ｃ１ｄ、Ｃ１ｅ、Ｃ１ｆ）に色分けされている。
【００３８】
また、カラーフィルタＣＦ１の作製は、スクリーン印刷等の手法を用いて、異なる色のインクを印刷し、乾燥、硬化することにより、それぞれ異なる色の領域が形成されている。これにより、異なる色毎に複数の単色フィルタ部材をそれぞれ用意する必要がなく、容易に１枚のカラーフィルタＣＦ１を作製することができる。また、様々な異なる色の領域を容易に形成することができ、照光表示に対するバラエティ対応がし易くなる。なお、カラーフィルタＣＦ１を印刷で形成しない場合は、例えば、異なる色の透光性フィルムを並べて配置することでもカラーフィルタを形成することができる。
【００３９】
拡散層１５は、乳白色のフィルム材料を用い、図１、図４及び図５に示すように、矩形状の形状で、第１ライトガイドＬ１の上方に配置されている。この拡散層１５は、第１ライトガイドＬ１側からの光を拡散するようにしている。なお、第１散乱部１１ｓ及び第２散乱部１２ｓと同様な光散乱性を有するインクを用い、第１ライトガイドＬ１の上面Ｌ１ｕ、或いは表示パネルＰＮ１の下面（第１ライトガイドＬ１と対向する面）に、印刷、乾燥、硬化させることにより、この拡散層１５を形成しても良い。また、表示パネルＰＮ１自体が、透光性で光を拡散する材料で作製している場合は、この拡散層１５を用いない構成でも良い。
【００４０】
反射層１６は、矩形状で白色のフィルム基材を用いており、図１、図４及び図５に示すように、第２ライトガイドＬ２の下方に配置されて、反射層１６が組み立てられた際には、図１に示すスペーサＰ１の矩形状の孔Ｐ１ｈに収容されるようになる。この反射層１６は、第２ライトガイドＬ２側からの光を拡散反射して、第２ライトガイドＬ２側に光を再び戻すようにしている。
【００４１】
ケース１７は、ＡＢＳ（アクリロニトリルブタジエンスチレン）、ＰＥＴ（ポリエチレンテレフタレート）等の合成樹脂材料を用い、図１、図４に示すように、ベースとなる基体１７ｋと基体１７ｋの三方の端部から延設された側壁１７ｓと、基体１７ｋの残りの一方の端部から長手方向（図１に示すＹ１方向）に延設された基部１７ｂと、から形成されている。そして、ケース１７は、第１ライトガイドＬ１、カラーフィルタＣＦ１、第２ライトガイドＬ２、反射層１６を収容するとともに、第２ライトガイド用光源ＬＥ２及びコネクタＣＮ２が搭載された配線基板１９ｂを基部１７ｂに載置し、スペーサＰ１を基体１７ｋに載置し、拡散層１５を側壁１７ｓの上面に載置している。
【００４２】
以上のように構成された照光表示装置１０１の組立は、ケース１７に順次、各構成部品を載置することによって容易に行うことができる。以下、図１及び図４を用いて、簡単に説明する。
【００４３】
先ず、第２ライトガイド用光源ＬＥ２及びコネクタＣＮ２が搭載された配線基板１９ｂ（図１を参照）をケース１７の基部１７ｂに載置し、次いでスペーサＰ１を基体１７ｋに載置する。その際に、図４に示すように、第２ライトガイド用光源ＬＥ２がスペーサＰ１の孔Ｐ１ｈに収容され、孔Ｐ１ｈの端部に配設されるようにする。
【００４４】
次に、両面テープ等の接着層ＡＤ１（図１を参照）で予め接着していた第２ライトガイドＬ２と反射層１６とを、スペーサＰ１の孔Ｐ１ｈに収容する。その際に、図４に示すように、第２ライトガイドＬ２の第２入光部Ｌ２ｎと第２ライトガイド用光源ＬＥ２の発光面ＬＥ２ｐとが対向するようにする。
【００４５】
次に、第１ライトガイド用光源ＬＥ１及びコネクタＣＮ１が搭載された配線基板１９ａをスペーサＰ１に載置し、次いで両面テープ等の接着層ＡＤ２（図１を参照）が貼り付けられたカラーフィルタＣＦ１をスペーサＰ１の上面に貼り付ける。次に、両面テープ等の接着層ＡＤ３（図１を参照）が貼り付けられた第１ライトガイドＬ１をカラーフィルタＣＦ１の上面に貼り付ける。
【００４６】
最後に、両面テープ等の接着層（図示していない）で、拡散層１５をケース１７の側壁１７ｓの上面に載置して、貼り付ける。以上により、図２に示す照光表示装置１０１が組み立てられる。
【００４７】
次に、以上のように構成された照光表示装置１０１の照光方法について説明する。図７は、本考案の第１実施形態の照光表示装置における照光について説明する模式図であって、光源（第１ライトガイド用光源ＬＥ１、第２ライトガイド用光源ＬＥ２）の色とカラーフィルタＣＦ１の領域の色との組合せを示した組合せ例ＳＡ１である。図８は、本考案の第１実施形態の照光表示装置における照光について説明する模式図であって、図７の組合せ例ＳＡ１とは違う組合せの例ＳＡ２である。なお、図７及び図８中のＡＡは、第１ライトガイドＬ１が上面Ｌ１ｕ側に出射する光の色区分を示したものであり、ＢＢは、第１ライトガイドＬ１の部分の構成を示したものでああり、ＣＣは、第１ライトガイドＬ１と第２ライトガイドＬ２との間に設けられたカラーフィルタＣＦ１の領域の色を示したものであり、ＤＤは、第１ライトガイドＬ１の下方に配置された第２ライトガイドＬ２の部分の構成を示したものである。
【００４８】
先ず、図７に示す組合せ例ＳＡ１では、第１ライトガイドＬ１の光源色を緑色とし、カラーフィルタＣＦ１の領域の色を赤色、緑色、青色とし、第２ライトガイドＬ２の光源色をマゼンダ色として、カラーフィルタＣＦ１や第１散乱部１１ｓ及び第２散乱部１２ｓがある領域とない領域とを設けて構成している。
【００４９】
その結果、図７に示すように、表示領域Ｎ１ａは、第２ライトガイドＬ２の第２散乱部１２ｓで散乱して第２ライトガイドＬ２の上面Ｌ２ｕ側に放射した散乱光がカラーフィルタＣＦ１の赤色を透過し、その透過光（赤色）と、第１ライトガイドＬ１の第１散乱部１１ｓで散乱した散乱光（緑色）とが混じりあって、第１ライトガイドＬ１の上面Ｌ１ｕ側に黄色の光として出射している。同様にして、表示領域Ｎ１ｂは、カラーフィルタＣＦ１の緑色を透過した透過光（透過した僅かなマゼンダ色）と、第１ライトガイドＬ１の第１散乱部１１ｓで散乱した散乱光（緑色）とが混じりあって、第１ライトガイドＬ１の上面Ｌ１ｕ側に若草色の光として出射している。表示領域Ｎ１ｃも同様にして、水色の光として第１ライトガイドＬ１の上面Ｌ１ｕ側に出射している。
【００５０】
一方、図７に示すように、表示領域Ｎ１ｄは、カラーフィルタＣＦ１が設けられていない領域で、第２ライトガイドＬ２の第２散乱部１２ｓで散乱して第２ライトガイドＬ２の上面Ｌ２ｕ側に放射した散乱光（マゼンダ色）と、第１ライトガイドＬ１の第１散乱部１１ｓで散乱した散乱光（緑色）とが混じりあって、第１ライトガイドＬ１の上面Ｌ１ｕ側に白色の光として出射している。このようにして、ライトガイドを伝搬してきた光とカラーフィルタＣＦ１を透過した第２ライトガイドＬ２（照光部材Ｓ１）からの領域によって異なる色の光とを組み合わせることにより、多様な色で照光表示することができる。
【００５１】
また、表示領域Ｎ１ｅは、第２ライトガイドＬ２の第２散乱部１２ｓが設けられていない領域なので、第２ライトガイドＬ２からの散乱光は、第１ライトガイドＬ１には入射していない。このため、第１ライトガイドＬ１の第１散乱部１１ｓで散乱した散乱光のみが第１ライトガイドＬ１の上面Ｌ１ｕ側に第１ライトガイド用光源ＬＥ１の光源色である緑色の光として出射している。
【００５２】
また、表示領域Ｎ１ｆは、第１ライトガイドＬ１の第１散乱部１１ｓが設けられていない領域なので、第１ライトガイドＬ１からの散乱光は、第１ライトガイドＬ１の上面Ｌ１ｕ側には出射していない。このため、第２ライトガイドＬ２の第２散乱部１２ｓで散乱して第２ライトガイドＬ２の上面Ｌ２ｕ側に放射した散乱光のみがそのまま第１ライトガイドＬ１を透過し、第１ライトガイドＬ１の上面Ｌ１ｕ側に第２ライトガイド用光源ＬＥ２の光源色であるマゼンダ色の光として出射している。例えば、表示領域Ｎ１ｅ或いは表示領域Ｎ１ｆのみで全体の表示領域を構成した場合、第１ライトガイドＬ１を伝搬してきた光或いは第２ライトガイドＬ２（照光部材Ｓ１）からの光のみを用いて、全体を一色（同系色）で照光表示することもできる。
【００５３】
また、表示領域Ｎ１ａ、表示領域Ｎ１ｂ、表示領域Ｎ１ｃ及び表示領域Ｎ１ｄの場合であっても、全体の表示領域を１つの表示領域で構成した場合、第２ライトガイド用光源ＬＥ２を消灯して第１ライトガイドＬ１を伝搬してきた光だけで照光することや、第１ライトガイド用光源ＬＥ１を消灯して第２ライトガイドＬ２を伝搬してきた光だけで照光することで、全体を一色（同系色）で照光表示することもできる。
【００５４】
次に、図８に示す組合せ例ＳＡ２では、第１ライトガイドＬ１の第１ライトガイド用光源ＬＥ１の光源色を青色とし、カラーフィルタＣＦ１の領域の色を赤色、緑色、青色とし、第２ライトガイドＬ２の光源色を白色として、カラーフィルタＣＦ１や第１散乱部１１ｓ及び第２散乱部１２ｓがある領域とない領域とを設けて構成している。
【００５５】
その結果、図８に示すように、表示領域Ｎ２ａは、第２ライトガイドＬ２の第２散乱部１２ｓで散乱して第２ライトガイドＬ２の上面Ｌ２ｕ側に放射した散乱光（白色）がカラーフィルタＣＦ１の赤色を透過し、その透過光が第１ライトガイドＬ１を透過して第１ライトガイドＬ１の上面Ｌ１ｕ側にマゼンダ色の光として出射している。同様にして、表示領域Ｎ２ｂは、カラーフィルタＣＦ１の緑色を透過した透過光が第１ライトガイドＬ１を透過して第１ライトガイドＬ１の上面Ｌ１ｕ側に水色の光として出射している。表示領域Ｎ２ｃも同様にして、青白色の光として第１ライトガイドＬ１の上面Ｌ１ｕ側に出射している。このようにして、カラーフィルタＣＦ１を透過した第２ライトガイドＬ２（照光部材Ｓ１）からの領域によって異なる色の光により、部分的に異なる色で所定の表示パターンを照光表示することができる。
【００５６】
一方、図８に示すように、表示領域Ｎ２ｄは、カラーフィルタＣＦ１及び第２ライトガイドＬ２の第２散乱部１２ｓが設けられていない領域なので、第１ライトガイドＬ１の第１散乱部１１ｓで散乱した散乱光のみが第１ライトガイドＬ１の上面Ｌ１ｕ側に第１ライトガイド用光源ＬＥ１の光源色である青色の光として出射している。
【００５７】
また、表示領域Ｎ２ｅは、カラーフィルタＣＦ１及び第１ライトガイドＬ１の第１散乱部１１ｓが設けられていない領域なので、第２ライトガイドＬ２の第２散乱部１２ｓで散乱して第２ライトガイドＬ２の上面Ｌ２ｕ側に放射した散乱光のみが第１ライトガイドＬ１を透過して第１ライトガイドＬ１の上面Ｌ１ｕ側に白色の光として出射している。例えば、表示領域Ｎ２ｄ或いは表示領域Ｎ２ｅのみで全体の表示領域を構成した場合、第１ライトガイドＬ１を伝搬してきた光或いは第２ライトガイドＬ２（照光部材Ｓ１）からの光のみを用いて、全体を一色（同系色）で照光表示することもできる。
【００５８】
また、表示領域Ｎ２ａ、表示領域Ｎ２ｂ、及び表示領域Ｎ２ｃの場合であっても、全体の表示領域を１つの表示領域で構成した場合、第２ライトガイド用光源ＬＥ２を消灯して第１ライトガイドＬ１を伝搬してきた光だけで照光することや、第１ライトガイド用光源ＬＥ１を消灯して第２ライトガイドＬ２を伝搬してきた光だけで照光することで、全体を一色（同系色）で照光表示することもできる。
【００５９】
また、表示領域Ｎ２ｆは、第１散乱部１１ｓ及び第２散乱部１２ｓのいずれもが無い領域なので、光らない領域となっている。
【００６０】
また、図７に示すＮ１ａ、Ｎ２ｂ、Ｎ１ｃ、及び図８に示すＮ２ａ、Ｎ２ｂ、Ｎ２ｃのように、カラーフィルタＣＦ１を透過した光を用いた場合、同色系のカラーフィルタにして、それぞれの色味を少しずつ変えた領域にすることで、同色系であって、グラデーション効果を有するようにして、照光することもできる。また、それぞれの光の透過率を少しずつ変えた領域にすることで、同色系であって、濃淡のグラデーション効果を有するようにして、照光することもできる。
【００６１】
以上のように、本考案の本考案の第１実施形態の照光表示装置１０１は、上述した組合せ例ＳＡ１及び組合せ例ＳＡ２のように様々な組合せを用いることで、多様な色で照光表示することができる。また、第１ライトガイドＬ１及び第２ライトガイドＬ２の長手方向ＬＤに沿ってカラーフィルタＣＦ１の色の領域を複数色に細かく色分けすることができるので、長手方向ＬＤに並べられた所定の表示パターンの照光色を複数色に色分けして照光することができる。
【００６２】
以上により、本考案の第１実施形態の照光表示装置１０１は、第１ライトガイドＬ１と照光部材Ｓ１（第２ライトガイドＬ２）との間に設けられたカラーフィルタＣＦ１が、それぞれ異なる色の領域によって形成されているので、カラーフィルタＣＦ１を透過した第２ライトガイドＬ２（照光部材Ｓ１）からの領域によって異なる色の光により、部分的に異なる色で所定の表示パターンを照光表示することができる。また、第１ライトガイドＬ１を伝搬してきた光或いは第２ライトガイドＬ２（照光部材Ｓ１）からの光のみを用いることで、全体を一色（同系色）で照光表示することもできる。更に、第１ライトガイドＬ１を伝搬してきた光とカラーフィルタＣＦ１を透過した第２ライトガイドＬ２（照光部材Ｓ１）からの光とを組み合わせることで、更なる多様な色で照光表示することもできる。
【００６３】
また、カラーフィルタＣＦ１が、透光性を有するフィルムＦ１に、それぞれ異なる色の領域が印刷されたものであるので、異なる色毎に複数の単色フィルタ部材をそれぞれ用意する必要がなく、容易に１枚のカラーフィルタＣＦ１を作製することができる。また、様々な異なる色の領域を容易に形成することができ、照光表示に対するバラエティ対応がし易くなる。
【００６４】
また、第１散乱部１１ｓが、第１ライトガイドＬ１の下面Ｌ１ｄに光散乱性を有するインクを印刷形成したものであるので、型加工やレーザ加工等により第１散乱部１１ｓを形成する場合と比較して、第１散乱部１１ｓの形成が容易である。このことにより、より容易に照光表示装置１０１を作製することができる。
【００６５】
また、照光部材Ｓ１が端部に第２入光部Ｌ２ｎを有する第２ライトガイドＬ２であるので、直に光源を第１ライトガイドＬ１の下面側に配置する場合と比較して、照光表示装置１０１をより薄くすることができる。
【００６６】
また、第２散乱部１２ｓが、第２ライトガイドＬ２の下面Ｌ２ｄに光散乱性を有するインクを印刷形成したものであるので、型加工やレーザ加工等により第２散乱部１２ｓを形成する場合と比較して、第２散乱部１２ｓの形成が容易である。このことにより、より容易に照光表示装置１０１を作製することができる。
【００６７】
また、第１ライトガイドＬ１及び第２ライトガイドＬ２の長手方向ＬＤに沿ってカラーフィルタＣＦ１の色の領域を複数色に細かく色分けすることができるので、長手方向ＬＤに並べられた所定の表示パターンの照光色を複数色に色分けして照光することができる。このことにより、長手方向ＬＤの所定の表示パターンのグラデーション効果を高めることが可能となる。
【００６８】
［第２実施形態］
図９は、本考案の第２実施形態の照光表示装置１０２における構成を示した側面構成図である。また、第２実施形態の照光表示装置１０２は、第１実施形態に対し、照光部材Ｓ２として、第２ライトガイドＬ２の替わりに発光光源ＬＥ３を設けている点が主に異なる。なお、第１実施形態と同一構成については、同一符号を付して詳細な説明は省略する。
【００６９】
本考案の第２実施形態の照光表示装置１０２は、図９に示すように、端部に第１入光部Ｌ１ｎを有する第１ライトガイドＬ１と、第１ライトガイドＬ１の下方に配置された照光部材Ｓ２である発光光源ＬＥ３と、第１ライトガイドＬ１と第２ライトガイドＬ２との間に設けられたカラーフィルタＣＦ２と、を備えて構成される。また、本考案の第２実施形態では、更に、発光光源ＬＥ３とカラーフィルタＣＦ２との間に配置された光散乱層５５と、第１ライトガイドＬ１の上方に配置された拡散層１５と、第１ライトガイドＬ１の第１入光部Ｌ１ｎに対向して配設された第１ライトガイド用光源ＬＥ１と、を備えている。そして、本考案の第２実施形態の照光表示装置１０２は、所定の表示パターンを備えた表示パネルＰＮ２の下方（背面）に配置されて表示パネルＰＮ２を照光し、所定の表示パターンを照光表示可能にしている。
【００７０】
発光光源ＬＥ３（ＬＥ３ａ、ＬＥ３ｂ）は、上面発光方式のＬＥＤ（Light Emitting Diode）を好適に用いており、例えばプリント配線板（ＰＷＢ、Printed wiring board）等の配線基板２９に搭載され、図９に示すように、第１ライトガイドＬ１の下面Ｌ１ｄに対して、発光面ＬＥ３ｐを向けて配置されている。照光部材Ｓ２が発光光源ＬＥ３（ＬＥ３ａ、ＬＥ３ｂ）なので、カラーフィルタＣＦ２及び第１ライトガイドＬ１を直接照光でき、第１ライトガイドＬ１を透過する光をより多くすることができる。なお、一方の発光光源ＬＥ３ａと他方の発光光源ＬＥ３ｂの光源色は、同じ色でも良いし、異なった色でも良い。また、本考案の第２実施形態では、発光光源ＬＥ３として、２つの上面発光方式のＬＥＤを用いたが、２つに限らず、１つでも良いし、２つ以上でも良い。複数の光源を用い、それぞれ異なった光源色を用いた場合は、より多様な色で照光表示することができる。
【００７１】
カラーフィルタＣＦ２は、図９に示すように、第１ライトガイドＬ１と照光部材Ｓ２である発光光源ＬＥ３との間に設けられ、本考案の第２実施形態では、透光性を有するフィルムＦ２の上面Ｆ２ｕに形成されている。また、カラーフィルタＣＦ２は、本考案の第１実施形態と同様に、それぞれ異なる色の領域によって形成されており、長手方向ＬＤに沿ってカラーフィルタＣＦ２の領域の色が複数色に色分けされている。
【００７２】
また、カラーフィルタＣＦ２の作製は、スクリーン印刷等の手法を用いて、異なる色のインクを印刷し、乾燥、硬化することにより、それぞれ異なる色の領域が形成されている。これにより、異なる色毎に複数のフィルタをそれぞれ用意する必要がなく、容易にカラーフィルタＣＦ２を作製することができる。また、様々な異なる色の領域を容易に形成することができ、照光表示に対するバラエティ対応がし易くなる。なお、カラーフィルタＣＦ２を印刷で形成しない場合は、例えば、異なる色の透光性フィルムを並べて配置することでもカラーフィルタを形成することができる。
【００７３】
光散乱層５５は、乳白色のフィルム材料を用い、図９に示すように、配線基板２９に接着層ＡＤ４を用いて貼り付けて、発光光源ＬＥ３（ＬＥ３ａ、ＬＥ３ｂ）の上方に配置している。そして、この光散乱層５５は、発光光源ＬＥ３（ＬＥ３ａ、ＬＥ３ｂ）からの光を散乱透過し、カラーフィルタＣＦ２側に出射するようにしている。なお、第１散乱部１１ｓ及び第２散乱部１２ｓと同様な光散乱性を有するインクを用い、透光性の基材の片面側に光散乱性を有するインクを印刷し、乾燥、硬化させることにより、この光散乱層５５を形成しても良い。
【００７４】
以上のように構成された照光表示装置１０２の照光方法は、第１実施形態の照光表示装置１０１で説明したように、カラーフィルタＣＦ２の異なる色の領域と、第１ライトガイドＬ１の第１散乱部１１ｓの形成領域と、第１ライトガイド用光源ＬＥ１の光源色と、発光光源ＬＥ３の光源色と、を組合せることにより、多様な色の表示領域を有して照光することができる。
【００７５】
以上により、本考案の第２実施形態の照光表示装置１０２は、第１ライトガイドＬ１と照光部材Ｓ２（発光光源ＬＥ３）との間に設けられたカラーフィルタＣＦ２が、それぞれ異なる色の領域によって形成されているので、カラーフィルタＣＦ２を透過した発光光源ＬＥ３（照光部材Ｓ２）からの領域によって異なる色の光により、部分的に異なる色で所定の表示パターンを照光表示することができる。また、第１ライトガイドＬ１を伝搬してきた光或いは発光光源ＬＥ３（照光部材Ｓ２）からの光のみを用いることで、全体を一色（同系色）で照光表示することもできる。更に、第１ライトガイドＬ１を伝搬してきた光とカラーフィルタＣＦ２を透過した発光光源ＬＥ３（照光部材Ｓ２）からの光とを組み合わせることで、更なる多様な色で照光表示することもできる。
【００７６】
また、カラーフィルタＣＦ２が、透光性を有するフィルムＦ２に、それぞれ異なる色の領域が印刷されたものであるので、異なる色毎に複数のフィルタをそれぞれ用意する必要がなく、容易にカラーフィルタＣＦ２を作製することができる。また、様々な異なる色の領域を容易に形成することができ、照光表示に対するバラエティ対応がし易くなる。
【００７７】
また、照光部材Ｓ２が発光光源ＬＥ３なので、カラーフィルタＣＦ２及び第１ライトガイドＬ１を直接照光でき、第１ライトガイドＬ１を透過する光をより多くすることができる。このことにより、所定の表示パターンをより一層明るく表示することができる。
【００７８】
なお、本考案は上記実施形態に限定されるものではなく、例えば次のように変形して実施することができ、これらの実施形態も本考案の技術的範囲に属する。
【００７９】
図１０は、本考案の第１実施形態の照光表示装置１０１の変形例１を説明する図であって、図１０（ａ）は、変形例１の照光表示装置Ｃ１０１における構成を示した側面構成図であり、図１０（ｂ）は、マスクシート１８の外観を示した平面図である。図１１は、本考案の照光表示装置１０１の変形例５の照光表示装置Ｃ１０５を説明する上面図である。
【００８０】
＜変形例１＞
図１０（ａ）に示すように、上記第１実施形態の照光表示装置１０１に加えて、第１ライトガイドＬ１の上方に、図１０（ｂ）に示す所定の表示パターンＰＴを透過部としたマスクシート１８が設けられるように構成しても良い。このマスクシート１８の表示パターンＰＴ以外の部分は、図１０（ｂ）に示すように、遮光性を有するように黒色系の色で形成されているのがより好ましい。このため、表示パターンＰＴ以外の部分からの漏れ光をマスクシート１８で遮光することができる。このことにより、マスクシート１８を用いない場合に比べて、表示パターンＰＴの輪郭を明確に出すことができ、適用される製品の表示品位を高めることができる。なお、所定の表示パターンＰＴの一例として、図１０（ｂ）に、“Ｃ”、“Ｏ”、“Ｌ”、“Ｏ”、“Ｒ”を示したが、この表示パターンＰＴに限るものではない。
【００８１】
＜変形例２＞
上記第１実施形態では、第２散乱部１２ｓが、光散乱性を有するインクを硬化させることにより、光を散乱させて上面側（図４に示すＺ１方向）へ反射させるようにしたが、光を拡散反射する反射層１６を第２散乱部とし、この反射層１６を第２ライトガイドＬ２の下面Ｌ２ｄ側に設ける構成でも良い。
【００８２】
＜変形例３＞
上記第１実施形態では、第１ライトガイドＬ１の下面Ｌ１ｄに、光散乱性を有するインクを印刷形成して第１散乱部１１ｓを好適に設ける構成にしたが、第１ライトガイドＬ１の下面Ｌ１ｄを凹凸形状に加工して、上面Ｌ１ｕ側に光を導く構成でも良い。
【００８３】
＜変形例４＞
上記第１実施形態では、第２ライトガイドＬ２の下面Ｌ２ｄに、光散乱性を有するインクを印刷形成して第２散乱部１２ｓを好適に設ける構成にしたが、第２ライトガイドＬ２の下面Ｌ２ｄを凹凸形状に加工して、上面Ｌ２ｕ側に光を導く構成でも良い。
【００８４】
＜変形例５＞
上記第１実施形態では、カラーフィルタＣＦ１が、図６に示すように、長手方向ＬＤに沿って一列に、カラーフィルタＣＦ１の領域の色が複数色（Ｃ１ａ、Ｃ１ｂ、Ｃ１ｃ、Ｃ１ｄ、Ｃ１ｅ、Ｃ１ｆ）に色分けされた構成にしたが、これに限るものではない。例えば、図１１に示すように、カラーフィルタＣＦ１の色の表示領域（図１１に示すＣＣ１〜ＣＣ１２）が複数列（図１１では２列）であっても良いし、色の表示領域（図１１に示すＣＣ１〜ＣＣ１２）での色の組合せを自由に選択しても良い。また、色の表示領域の並びも自由に選択しても良い。
【００８５】
＜変形例６＞＜変形例７＞
上記第１実施形態では、反射層１６を白色のフィルム基材を用いた構成にしたが、フィルム基材の上面に金属膜を形成し、反射層としても良い。また、第２ライトガイドＬ２の下面Ｌ２ｄに直接金属膜を形成し、反射層としても良い。なお、この反射層の作製は、金属をスパッタリング法や金属蒸着法等を用いることで、容易に達成できる。
【００８６】
＜変形例８＞
上記第２実施形態では、発光光源ＬＥ３と配線基板２９を第１ライトガイドＬ１の下面Ｌ１ｄ側に配置して照光表示装置１０２を構成したが、発光光源ＬＥ３と配線基板２９を用いなく、機器の内部に設けられた電球等の光源を構成部品として用い、照光表示装置としても良い。
【００８７】
＜変形例９＞
上記実施形態では、第１ライトガイドＬ１が長手方向ＬＤと短手方向ＳＤとを有する矩形状をしている構成としたが、矩形状に限らず、例えば、円形状、楕円形状、Ｌ字状或いはＵ字状等であっても良いし、その他の形状でもあっても良い。円形状や楕円形状の場合、同心円状に色味を変えるグラデーションもできる。
【００８８】
＜変形例１０＞
上記実施形態では、光源（ＬＥ１、ＬＥ２、ＬＥ３）として、好適に発光ダイオード（ＬＥＤ、Light Emitting Diode）を用いたが、電球、蛍光灯や有機ＥＬ（ＯＥＬ、Organic Electro-Luminescence）等、その他の発光源であれば良い。
【００８９】
本考案は上記実施の形態に限定されず、本考案の目的の範囲を逸脱しない限りにおいて適宜変更することが可能である。
【符号の説明】
【００９０】
ＣＦ１、ＣＦ２  カラーフィルタ
Ｌ１    第１ライトガイド
Ｌ１ｎ  第１入光部
Ｌ１ｄ  下面
Ｌ１ｕ  上面
１１ｓ  第１散乱部
Ｌ２    第２ライトガイド
Ｌ２ｎ  第２入光部
Ｌ２ｄ  下面
Ｌ２ｕ  上面
Ｓ１、Ｓ２  照光部材
１２ｓ  第２散乱部
１８    マスクシート
ＬＤ    長手方向
ＳＤ    短手方向
ＬＥ３、ＬＥ３ａ、ＬＥ３ｂ  発光光源
ＬＥ１ｐ、ＬＥ２ｐ、ＬＥ３ｐ  発光面
１０１、１０２、Ｃ１０１、Ｃ１０５  照光表示装置
【図１】
0003182109.tif 000003
【図２】
0003182109.tif 000004
【図３】
0003182109.tif 000005
【図４】
0003182109.tif 000006
【図５】
0003182109.tif 000007
【図６】
0003182109.tif 000008
【図７】
0003182109.tif 000009
【図８】
0003182109.tif 000010
【図９】
0003182109.tif 000011
【図１０】
0003182109.tif 000012
【図１１】
0003182109.tif 000013
【図１２】
0003182109.tif 000014